(57)【要約】【課題】車載用テレビジョンの受像機等に用いられる表示装置において、外部から入力される同期信号と内部の基準水平同期信号との位相差データを補正する回路で、垂直帰線期間付近では位相変動やノイズによる誤位相データにより内部基準信号が大きく振られやすく、表示される映像乱れの大きな要因である。しかし、位相変動の比較的小さい映像期間においても瞬間的なノイズなどにより、一時的な位相変動を行うことで、映像に水平ジッタとして表示される。【解決手段】位相差算出回路で得られた位相差データを、垂直帰線期間付近のみ情報を通過させ、映像期間は、十数ライン毎に情報を通過させるというインターバル伝達方式をとります。位相変動の比較的小さい映像期間のデータ補正回数を抑えることで、表示映像に発生する水平方向の映像ジッタを抑えることができ、画質向上させることができる。【選択図】図１
2005244271.tif 000002
【特許請求の範囲】
【請求項１】
テレビジョン映像表示における同期信号処理回路であって、位相差算出回路で得られた位相差データを垂直帰線期間付近でデータ補正を行う手段と、映像期間は予め設定されたライン毎に情報を通過させ定期的なデータ補正を行う手段と、前記予め設定されたライン毎にデータ補正を行うかを設定できる手段と、データ補正を行う領域に送るデータを、位相差算出回路から得られた位相差データまたは検出された位相差データの符号のみを適用させ指定した位相差値を反映させるか選択できる手段、を備えたことを特徴とする同期信号処理回路。
【発明の詳細な説明】
【技術分野】
【０００１】
本発明は、車載用テレビジョンの受像機等に用いられる表示装置に係わり、映像信号に含まれる同期処理回路における水平同期の位相差補正処理に関するものである。
【背景技術】
【０００２】
車載用テレビジョン装置の場合、走行しながらの電波受信のため、車の走行状態や周囲の建物などの障害物による影響や、車両自身から発生する各種ノイズにより、不安定な信号の影響により映像が乱れることがあります。そのため車載用テレビジョン装置の同期信号処理回路には水平同期信号の位相検出に専用の回路を設けており、この回路で検出された位相差量を加味して、内部カウントダウン水平同期信号を生成し、不安定な信号の影響に対して安定した映像を表示させています。
【０００３】
以下に従来の位相差検出回路について説明する。
【０００４】
図２は従来の位相差検出回路のエッジ検出処理部の構成を示すものであり、図３は従来の位相差検出回路の位相差算出処理部の構成を示すものであり、図４は従来の位相差検出回路の位相差補正処理部の構成を示すものである。
【０００５】
従来の位相差検出回路は、まず図２のエッジ検出処理ブロックで、外部同期信号の前エッジと後ろエッジのクロックに対する検出出力を行い、図３の位相差算出ブロックで外部同期と内部同期の位相差を算出し、最後に図４の位相差補正ブロックで、水平映像描画基準位置信号用の補正値と映像内挿処理用の補正値と水平同期信号用の補正値にそれぞれ分離して位相差データを出力する回路となっています。
【０００６】
図２のエッジ検出回路は、水平同期監視回路からの位相検出ウインドウ信号１と水平カウントダウン回路からの位相差基準信号２の２信号が入力されます。同期位相検出ウインドウ信号１は、外部同期信号と内部同期位相基準信号との位相比較する期間を示す信号で、信号の「Ｈ」期間に位相比較処理を行う信号です。位相差基準信号２は、内部で作られる水平カウントダウン同期信号の一定遅延させられたデューティ比約６０（Ｈ）／４０（Ｌ）の信号です。これらの信号から外部同期信号３の前エッジと後ろエッジを検出するウインドウ信号を位相検出領域生成処理部４で作り出します。同期位相検出ウインドウ信号１は、外部同期信号を基に作成されているに対し、位相差基準信号２は内部同期信号を基準に生成しています。そのため検出ウインドウ内のどの位置に位相基準が来るかはわかりません。
【０００７】
そのため組み合わせは、幾通りにもなります。これらの位相関係に対して、外部同期信号の前エッジと後ろエッジのクロックに対する検出出力をＡ／Ｂ領域の前エッジ位置検出部５とＡ／Ｂ領域の後エッジ位置検出部６で行います。ここでの検出は、前エッジ検出における正クロック／負クロック検出結果及び、後エッジ検出における正クロック／負クロック検出結果のデータ信号となり、検出した場合［Ｈ］になります。
【０００８】
検出データは、約１Ｈ期間データを保持します。データの更新は位相検出データ受け取りフラグ切り替えＳＷ７で作られる１Ｔパルスのデータ確定タイミング信号で、データ確定部８にて、データが保持され、ＥＧＰ＿ＰＦ信号９，ＥＧＰ＿ＮＦ信号１０，ＥＧＰ＿ＰＢ信号１１，ＥＧＰ＿ＮＢ信号１２として、図３の位相差算出処理部に出力します。また、１Ｔパルスのデータ確定タイミング信号ＥＧＰ＿ＯＫＰ１３も図３の位相差算出処理部に出力します。外部同期信号３の信号幅は約４．７ｕｓで、この中心位置に位相差基準信号の立ち上がり点が来るように位相調整されることから、外部同期信号の前エッジと後エッジが意味を持って出力されるのは、約±２ｕｓの範囲となります。
【０００９】
図２のエッジ検出回路から図３の位相差算出回路入力される外部同期信号の前エッジと後ろエッジの状態信号、ＥＧＰ＿ＰＦ信号２１，ＥＧＰ＿ＮＦ信号２２，ＥＧＰ＿ＰＢ信号２３，ＥＧＰ＿ＮＢ信号２４は、データ確定タイミング信号ＥＧＰ＿ＯＫＰ２５でデータ取得します。このデータ確定タイミング信号は遅延処理によるタイミング生成２６を行い、ＷＩＤＤＡＴ＿ＯＫ信号２７として図４の位相差補正処理部に出力します。
【００１０】
そして、これら状態信号のデータから位相補正する量がエッジ検出回路から送られる後エッジ検出における正クロック／負クロック検出の情報に従い補正データ設定部２８で補正データを決定します。内部同期信号と外部同期信号の位相差は、外部同期信号を位相差基準信号で区切る面積比から求めています。この面積比を求めるため、同期位相検出ウインドウ信号２９と位相差基準信号３０から位相検出領域生成処理部３１で、位相検出領域信号を生成し、システムクロックの立ち上がりから、前エッジ及び、後エッジともにずれています。そのためエッジ検出回路で求められたシステムクロックに対するずれ方を後エッジ検出における正クロック／負クロック検出情報応じて補正分処理をします。
【００１１】
補正分は、外部同期信号３２の時間軸方向を計測するシステムクロックに対して補正されます。前エッジなら、検出開始点と領域開始点とが同じため補正量を加算する、後エッジなら領域終了点に対し１Ｔ遅れた位置が検出終了点となるため補正量は減算処理されます。同期位相検出ウインドウ信号と外部水平同期信号とで論理積をとり、位相検出領域を確定させます。その後位相差基準信号の反転信号と論理積をとり面積量検出範囲の前側（Ａ領域）の範囲を確定させ、また位相差基準信号と論理積をとり面積量検出範囲の後側（Ｂ領域）の範囲をそれぞれＡ／Ｂ領域ごとの面積算出処理部３３で確定させます。
【００１２】
それぞれ確定されたＡ領域、Ｂ領域の信号をシステムクロックで時間量を計測します。この時、Ａ領域とＢ領域とがどのような関係になっているかのフラグ信号を導出します。計測されたＡ領域、Ｂ領域の量に前で求められているクロックからのずれ分をＡ／Ｂ領域ごとの面積補正処理部３４で補正処理します。
【００１３】
Ａ領域に対しては補正量を加算し、Ｂ領域に対しては補正量を減算します。このように求められた時間軸方向の量は、少数点以下４ビットを持つ値となります。その値から＋２５５／０クリップ処理を施しそれぞれの領域面積値を求めます。面積は、時間軸方向量に強さ１を持つと考えると、時間軸方向の値がそのまま面積に相当します。  内部同期の位相遅れや進みは、以下のようになります。
【００１４】
［位相ずれ］＝（［Ａ領域の面積］−［Ｂ領域の面積］）
この場合、位相遅れを起こしている場合、計算結果は正値となり、逆に位相進みを起こしている場合、計算結果は負値となります。このように計算すれば位相ずれ量を導出できます。但し、位相差基準信号の位相によって検出値を補正処理します。この後、補正処理された位相データを、０．５を掛けた値を導出します。この計算された値が位相差補正処理部３５で行われる、求めるべき位相ズレに対する補正すべき値となります。
【００１５】
このことにより補正データの範囲は、±１２８以内となります。この補正されたデータはファンクションによって、出力制限切り替え処理部３６で出力制限処理をすることができます。この処理は、外部同期信号がノイズなどで乱れている場合ロック外れなどが頻繁に起きるようになり補正データの変動を少しでも押さえるための処理です。
【００１６】
ファンクションによる出力制限処理は、「制限しない」、「±６４の範囲に制限」、「±３２の範囲に制限」、「±１６の範囲に制限」、「±８の範囲に制限」、「±４の範囲に制限」、「±２の範囲に制限」から選択することができます。ここで処理された位相差データ３７がこのブロックから出力されます。
【００１７】
図３の位相差データ算出ブロックから出力された位相差データ４１は、図４の位相データ補正回路に入力されます。入力された位相差データ４１は、データ切り替えセレクタ４３で水平カウントダウン回路から送られたデータ通過制御信号４２によって位相差が有るか無いかの判断をします。この制御ブロック４２から出力されたデータは，水平映像描画基準位置信号用及び、映像内挿処理用補正処理部と、水晶振動子からカウントダウンして作られる水平同期信号用補正処理部に送ります。
【００１８】
まず、水平映像描画基準位置補正処理及び、映像内挿処理用の補正値について説明します。小数点以下４ビットの位相差データを６ビットに拡張します。ビット拡張されたデータは、インターレース補正処理部に送られ、インターレース補正をする場合には、０．５倍処理４４を施せるセレクタ４５を通ります。その後、符号付整数部抜き取り処理部４６，小数部抜き取り処理部４７に送られ、整数部，小数部それぞれ指定の補正処理をします。整数部と小数部とを分離する場合そのままビットを切り離すと本来の整数部と小数部との数値に相違が出るため、整数部はこのデータは符号付きデータですので、正値の場合は小数部を切り捨てにし、負値の場合は切り上げて整数部に分離します。小数部は正値に場合はそのまま切り離し、負値の場合はデータの符号を反転処理した値が小数部となります。
【００１９】
整数部と小数部とに分離されたデータのうち、整数部は、整数部符号処理ブロックを介し、水平映像描画基準位置信号用補正値５０として出力されます。この整数部符号処理ブロックではデータの符号を反転処理しています。小数部は，小数部出力制御ブロックを介し、映像内挿処理用補正値５１として出力されます。このとき整数部，小数部は、それぞれファンクションによって、セレクタ４８，４９で出力を停止させることもできます。
【００２０】
次に、水晶振動子からカウントダウンして作られる水平同期信号用の補正処理について説明します。位相差データは，整数化する小数部補正ブロックに入ります。整数化への補正は、小数部切り上げ処理を行っています。整数化されたデータは、垂直帰線期間により制御される出力制御ブロックの垂直等価領域処理部５３に送られます。
【００２１】
ここでは、垂直処理回路から送られる垂直帰線区間信号５２により垂直帰線期間でデータの出力制御を行うか行わないかをファンクションで設定でき、セレクタ５４で切替えることができます。ここで選択された信号が，符号付整数化処理部５５へ送られ、小数部切り上げ処理を行っています。このデータについてもセレクタ５６で、データ出力をする、しないかの切り替えができます。このセレクタで選択されたデータが水平同期信号用補正値５７として水平カウントダウン回路に送られます。
【００２２】
図３の位相差算出処理部から送られたデータ確定タイミング信号ＷＩＤＤＡＴ＿ＯＫ５８は、タイミング生成５９で遅延処理を行い、水平映像描画基準位置信号用の補正値，映像内挿処理用の補正値，水平同期信号の補正値のデータ確定を行い、データ確定タイミング信号ＰＨＡＳＥ＿ＯＫ６０として、水平カウントダウン回路へ送られる。
【特許文献１】特開平９−２１４９９８号公報
【発明の開示】
【発明が解決しようとする課題】
【００２３】
しかしながら、従来の位相差補正処理では、位相差データの出力制限により、走行時の乱れをある程度吸収させることは出来ましたが、位相差データの補正を全ラインで補正していたため、内部基準信号が大きく振られやすい垂直帰線期間付近のデータ補正では、大きな効果があるのですが、位相変動の比較的小さい映像期間においても瞬間的なノイズなどにより、一時的な位相変動を行うことで、映像に水平ジッタとして表示される。
【００２４】
本発明は上記従来の問題点を解決するもので、車のような移動体環境での不安定なテレビジョン映像信号であっても、ノイズによる誤位相データによる水平方向の映像ジッタを低減し表示画像の画質向上を提供することを目的とする。
【課題を解決するための手段】
【００２５】
この目的を達成するために、本発明の位相差補正処理は、従来の位相差算出回路で得られた位相差データを垂直帰線期間付近のみ情報を通過させ、映像期間は十数ライン毎に情報を通過させるというインターバル伝達方式処理で補正を掛けることにより、ノイズなどによる一時的なデータ変動の抑制を行い、水平ジッタを抑制させる回路を、従来の位相差検出回路に追加しました。
【００２６】
車のような移動体環境下におけるテレビジョン放送での中弱電界性能強化のために、本来高精度な水晶振動子を採用せず、一般水晶振動子で同様の性能の確保を目的とした回路として組込まれた方式です。
【発明の効果】
【００２７】
本発明の位相差補正処理は、車のような移動体環境での不安定なテレビジョン映像信号であっても、ノイズなどによって算出される誤位相データの影響による水平方向の映像ジッタを低減し表示画像の画質を向上することができる。
【発明を実施するための最良の形態】
【００２８】
本発明の請求項１に記載の発明は、テレビジョン映像表示における同期信号処理回路であって、位相差算出回路で得られた位相差データを垂直帰線期間付近でデータ補正を行う手段と、映像期間は予め設定されたライン毎に情報を通過させ定期的なデータ補正を行う手段と、前記予め設定されたライン毎にデータ補正を行うかを設定できる手段と、データ補正を行う領域に送るデータを、位相差算出回路から得られた位相差データまたは検出された位相差データの符号のみを適用させ指定した位相差値を反映させるか選択できる手段、を備えた同期信号処理回路であり、車載用テレビジョン信号特有な中弱電界において、ノイズによる映像ジッタを低減し画質向上という作用を有する。
【００２９】
以下、発明の実施の形態は図１を参照しながら説明する。
【実施例１】
【００３０】
本発明の位相差データ補正処理のインターバル伝達方式処理ブロックに入力される信号は、図１に示す、位相検出データ信号７１とデータ確定タイミング信号のＷＩＤＤＡＴ＿ＯＫ信号７２と垂直帰線区間信号７３及び、位相検出ウインドウ信号７４が入力されます。
【００３１】
従来の位相差算出処理部から送られた位相差データ７１は、データ確定タイミング信号のＷＩＤＤＡＴ＿ＯＫ信号７２で、データラッチ処理部７５にてラッチする。
【００３２】
垂直帰線期間の領域では、垂直帰線パルス期間データ通過領域拡張処理７６で、垂直同期処理ブロックから送られる垂直帰線区間信号７３の立ち上がりエッジをリセット信号に１Ｈ毎に発生する位相検出ウインドウ信号７４の立ち上がりエッジ毎にカウントアップさせるカウンターを生成し、垂直帰線期間及びその付近で常に位相差データを通過させる範囲を設定する。この時最低垂直帰線区間は通過範囲として設定するようにした。
【００３３】
垂直帰線期間付近以外の領域においては、位相差補正エリアデータ７７で、何水平ライン期間に１度の位相差補正を行うかの設定を行い、位相差データ通過領域生成部７８で、１Ｈ毎に発生する位相差検出ウインドウ７４の立ち上がりエッジをリセット信号にカウントアップさせるカウンターで、１Ｈ期間のパルスを発生させ、このパルスのＨｉｇｈ期間垂直帰線期間付近以外の位相差データ通過領域となります。
【００３４】
前述データ確定タイミング信号でラッチされた位相データ信号７９の最上位ビットを観測して、符号検出部８０で符号判別を行い、ファンクションで設定するデータ補正値８１を設定し、符号補正処理部８２でプラスマイナスの補正値を導出する。即ち、上記ファンクションで設定した補正値が、「３」の場合、
検出位相差データ値「−３２」  ⇒  「−３」の位相差データを流す。
【００３５】
検出位相差データ値「＋１５」  ⇒  「＋３」の位相差データを流す。
【００３６】
検出位相差データ値「  ０」  ⇒  「  ０」の位相差データを流す。
【００３７】
ということになります。
【００３８】
符号補正処理部８２で補正処理された補正値とデータ確定タイミング信号でラッチされた位相データ信号７９を、セレクタ８３により選択したデータは、適応補正値制御処理部８４に送られ、垂直帰線期間領域の位相データと合わせ、位相差補正データを生成する。
【００３９】
適応補正値制御処理部８４で補正された位相差補正データと、データ確定タイミング信号でラッチされた位相データ信号７９をセレクタ８５により選択すると同時に、タイミング生成部８６でタイミング補正された位相データ確定タイミング信号で再度ラッチを行い位相差データを確定します。
【００４０】
このブロックから出力される信号は、位相補正データ８７と位相データ確定タイミング信号８８になり、図４の従来の位相差補正処理回路に送られ、水平同期信号用補正値と水平映像描画基準位置信号用の補正値及び、映像内挿処理用補正値に分けていきます
【産業上の利用可能性】
【００４１】
本発明は、車載用テレビジョンの受像機等に用いられる表示装置に係わり、車載環境特有な不安定なテレビジョン信号を、水平方向の映像ジッタを低減し、安定した映像を表示にするのに有効である。
【図面の簡単な説明】
【００４２】
【図１】本発明のインターバル伝達方式処理位相差補正の回路ブロック図
【図２】従来の位相差検出回路のエッジ検出処理部のブロック図
【図３】従来の位相差検出回路の位相差算出処理部のブロック図
【図４】従来の位相差検出回路の位相差補正処理部のブロック図
【符号の説明】
【００４３】
１，３０，７４    位相検出ウインドウ信号
２，２９    位相差基準信号
３，３２    外部水平同期信号
４    位相検出領域生成処理回路
５    Ａ／Ｂ領域の前エッジ位相検出回路
６    Ａ／Ｂ領域の後エッジ位相検出回路
７    位相検出データ受取フラグ信号切り替えＳＷ回路
８    データ確定回路
９，２１    ＥＧＰ＿ＰＦ信号（Ａ領域の前エッジ位置検出信号）
１０，２２    ＥＧＰ＿ＮＦ信号（Ｂ領域の前エッジ位置検出信号）
１１，２３    ＥＧＰ＿ＰＢ信号（Ａ領域の後エッジ位置検出信号）
１２，２４    ＥＧＰ＿ＮＢ信号（Ｂ領域の後エッジ位置検出信号）
１３，２５    ＥＧＰ＿ＯＫＰ信号（位相検出データ受取フラグ信号）
２６    タイミング生成回路
２７，５８，７２    ＷＩＤＤＡＴ＿ＯＫ信号（データ確定タイミング信号）
２８    データ領域補正処理回路
３１    位相検出領域生成処理回路
３３    Ａ／Ｂ領域ごとの面積算出処理回路
３４    Ａ／Ｂ領域ごとの面積補正処理回路
３５    位相差算出処理回路
３６    出力制限切り替え処理回路
３７，４１，７１    位相差データ信号
４２    データ通過制御信号
４３，４５，４８，４９，５４，５６    ２信号セレクタ
４４    ０．５倍データ生成処理回路
４６    符号付整数部抜き取り処理回路
４７    少数抜き取り処理回路
５０    水平映像描画基準位置信号用補正値データ
５１    映像内挿処理用補正値データ
５２，７３    垂直帰線区間信号
５３    垂直等価領域処理回路
５５    符号付整数値化処理回路
５７    水平同期信号用補正値データ
５８    タイミング生成処理回路
６０    ＰＨＡＳＥ＿ＯＫ信号（データ確定タイミング信号）
７５    データラッチ処理回路
７６    垂直帰線パルス期間データ通過領域拡張処理回路
７７    位相差補正エリアデータ
７８    位相差データ通過領域生成回路
７９    位相差データ信号ｂ
８０    符号検出回路
８１    データ補正値
８２    符号補正処理回路
８３，８５    ２信号セレクタ
８４    適応補正値制御処理回路
８６    タイミング生成回路
８７    位相差補正データ出力信号
８８    位相データ確定タイミング信号
【図１】
2005244271.tif 000003
【図２】
2005244271.tif 000004
【図３】
2005244271.tif 000005
【図４】
2005244271.tif 000006